(57)【要約】      （修正有）【課題】可変ピッチプロペラ組立体は、ハブの周りを周方向に離間した複数のプロペラブレード組立体を含むようにする。【解決手段】複数のプロペラブレード組立体のそれぞれは、各プロペラブレードを回転させるように構成される。可変ピッチプロペラ組立体はまた、一体で形成され、静止作動流体移送スリーブからの作動流体の各流れを受け入れるように構成された少なくとも３つの作動流体ポートを含む作動流体ポート組立体を含む。可変ピッチプロペラ組立体はまた、各作動流体移送チューブを通して、少なくとも３つの作動流体ポートと流れ連通して結合されたピッチアクチュエータ組立体を含む。ピッチアクチュエータは、プロペラブレードのピッチを選択的に制御するように複数のプロペラブレード組立体に結合される。ピッチアクチュエータ組立体は、ピッチアクチュエータ組立体のうちの少なくとも１つの回転を制限するように構成された移動止め部を含む。【選択図】図１
2017160902.tif 000002
【特許請求の範囲】
【請求項１】
回転軸（１２）を有するシャフト（３６）の周りを回転可能なハブ（４８）と、
前記ハブ（４８）の周りを周方向に離間した複数のプロペラブレード組立体（４４）であって、前記複数のプロペラブレード組立体（４４）の各プロペラブレード組立体（４４）が、各プロペラブレード（４０）を、半径方向に延在するピッチ回転軸（２２０）の周りを回転させるように構成された、複数のプロペラブレード組立体（４４）と、
前記シャフト（３６）と一体で形成され、前記シャフト（３６）とともに回転可能な作動流体ポート組立体（３１０）であって、前記ポート組立体（３１０）を少なくとも部分的に取り囲む静止作動流体移送スリーブ（３０４）からの作動流体の各流れを受け入れるように構成された少なくとも３つの作動流体ポート（６１２、６３２、６５２）を備える作動流体ポート組立体（３１０）と、
前記作動流体ポート組立体（３１０）から前記ピッチアクチュエータ（３０６）まで軸方向に延在する各作動流体移送チューブ（６１４、６３４、６５４）を通して、前記少なくとも３つの作動流体ポート（６１２、６３２、６５２）と流れ連通して結合されたピッチアクチュエータ組立体（３０６）であって、前記ピッチアクチュエータ（３０６）が、前記プロペラブレード（４０）のピッチを選択的に制御するように前記複数のプロペラブレード組立体（４４）に結合されたピッチアクチュエータ組立体（３０６）において、前記ピッチアクチュエータ組立体（３０６）および前記複数のプロペラブレード組立体（４４）のうちの少なくとも１つの回転を制限するように構成された移動止め部（３１６）を備える、ピッチアクチュエータ組立体（３０６）と
を備える可変ピッチプロペラ組立体（３００）。
【請求項２】
前記少なくとも３つの作動流体移送チューブ（６１４、６３４、６５４）が、増大移送チューブ（６１４）、減少移送チューブ（６３４）、およびドレン（６５４）を含む、請求項１記載の組立体（３００）。
【請求項３】
前記作動流体移送チューブ（６１４、６３４、６５４）の少なくとも１つによって駆動される軸方向の動きを前記ピッチ回転軸（２２０）の周りの回転に変えるように構成された直線作動部材を、前記ピッチアクチュエータ組立体（３０６）が備える、請求項１記載の組立体（３００）。
【請求項４】
前記作動流体移送チューブ（６１４、６３４、６５４）の少なくとも１つによって駆動される周方向の動きを前記ピッチ回転軸（２２０）の周りの回転に変えるように構成された回転作動部材を、前記ピッチアクチュエータ組立体（３０６）が備える、請求項１記載の組立体（３００）。
【請求項５】
前記作動流体ポート組立体（３１０）が、作動流体の各流れを静止作動流体移送スリーブ（３０４）から半径方向に受け入れるように構成された、請求項１記載の組立体（３００）。
【請求項６】
前記作動流体ポート組立体（３１０）が、作動流体の各流れを静止作動流体移送スリーブ（３０４）から軸方向に受け入れるように構成された、請求項１記載の組立体（３００）。
【請求項７】
前記移動止め部（３１６）が、前記作動流体移送チューブ（６１４、６３４、６５４）を通って前記ピッチアクチュエータ組立体（３０６）へ行く流れを遮断するように構成された機械式作動流体遮断装置（３１６）を含む、請求項１記載の組立体（３００）。
【請求項８】
前記移動止め部（３１６）が、前記ピッチアクチュエータ組立体（３０６）が所定の範囲の外に移動するのを防ぐように構成された機械式移動制限装置（３１６）を含む、請求項１記載の組立体（３００）。
【請求項９】
多段圧縮機（２４）を含むコアエンジン（１６）と、
回転軸（１２）を備え前記コアエンジン（１６）によって動力を与えられるファン組立体（３８）であって、
前記回転軸（１２）を有するシャフト（３６）の周りを回転可能なハブ（４８）と、
前記ハブ（４８）の周りを周方向に離間した複数のプロペラブレード組立体（４４）であって、前記複数のプロペラブレード組立体（４４）の各プロペラブレード組立体（４４）が、各プロペラブレード（４０）を、半径方向に延在するピッチ回転軸（２２０）の周りを回転させるように構成された、複数のプロペラブレード組立体（４４）と、
前記シャフト（３６）と一体で形成され、前記シャフト（３６）とともに回転可能な作動流体ポート組立体（３１０）であって、前記ポート組立体（３１０）を少なくとも部分的に取り囲む静止作動流体移送スリーブ（３０４）からの作動流体の各流れを受け入れるように構成された少なくとも３つの作動流体ポート（６１２、６３２、６５２）を備える作動流体ポート組立体（３１０）と、
前記作動流体ポート組立体（３１０）から前記ピッチアクチュエータ（３０６）まで軸方向に延在する各作動流体移送チューブ（６１４、６３４、６５４）を通して、前記少なくとも３つの作動流体ポート（６１２、６３２、６５２）と流れ連通して結合されたピッチアクチュエータ組立体（３０６）であって、前記ピッチアクチュエータ（３０６）が、前記プロペラブレード（４０）のピッチを選択的に制御するように前記複数のプロペラブレード組立体（４４）に結合されたピッチアクチュエータ組立体（３０６）において、前記ピッチアクチュエータ組立体（３０６）および前記複数のプロペラブレード組立体（４４）のうちの少なくとも１つの回転を制限するように構成された移動止め部（３１６）を備える、ピッチアクチュエータ組立体（３０６）と
を備えるファン組立体（３８）と
を備える可変ピッチターボファンガスタービンエンジン（１０）。
【請求項１０】
前記少なくとも３つの作動流体移送チューブ（６１４、６３４、６５４）が、増大移送チューブ（６１４）、減少移送チューブ（６３４）、およびドレン（６５４）を含む、請求項９記載の可変ピッチターボファンガスタービンエンジン（１０）。
【発明の詳細な説明】
【技術分野】
【０００１】
本開示の分野は一般にガスタービンエンジンに関し、より詳細には、一体型ピッチ制御機構（ＰＣＭ：ｐｉｔｃｈ  ｃｏｎｔｒｏｌ  ｍｅｃｈａｎｉｓｍ）アクチュエータに作動流体を供給するための方法およびシステムに関する。
【背景技術】
【０００２】
ガスタービンエンジンは典型的には、コアエンジンに空気を供給し、その空気を圧縮して推力を発生するファン組立体を含む。少なくともいくつかの公知のファン組立体は、外部で調節された作動流体の流れによって制御される可変ピッチファンブレードを含む。ファンブレードのピッチはファンの性能を制御するので、航空機の様々な状態で最適化することができる。ファンのピッチは典型的には、作動流体を静止供給システムから回転アクチュエータに移送することによって制御される。少なくともいくつかの公知のガスタービンエンジンは中間配管機構を使用して、作動流体を静止供給システムから回転アクチュエータに供給する。中間配管機構は航空機の重量を増し、エンジンの貴重な空間を占める。
【先行技術文献】
【特許文献】
【０００３】
【特許文献１】米国特許第９１０９７３３号公報
【発明の概要】
【課題を解決するための手段】
【０００４】
一態様では、可変ピッチプロペラ組立体が提供される。可変ピッチプロペラ組立体は、回転軸を有するシャフトの周りを回転可能なハブを含む。可変ピッチプロペラ組立体はまた、ハブの周りを周方向に離間した複数のプロペラブレード組立体を含む。複数のプロペラブレード組立体のそれぞれは、各プロペラブレードを、半径方向に延在するピッチ回転軸の周りを回転させるように構成される。可変ピッチプロペラ組立体はまた、シャフトと一体で形成され、シャフトとともに回転可能な作動流体ポート組立体を含む。作動流体ポート組立体は、ポート組立体を少なくとも部分的に取り囲む静止作動流体移送スリーブからの作動流体の各流れを受け入れるように構成された少なくとも３つの作動流体ポートを含む。可変ピッチプロペラ組立体はまた、作動流体ポート組立体からピッチアクチュエータまで軸方向に延在する各作動流体移送チューブを通して、少なくとも３つの作動流体ポートと流れ連通して結合されたピッチアクチュエータ組立体を含む。ピッチアクチュエータは、プロペラブレードのピッチを選択的に制御するように複数のプロペラブレード組立体に結合される。ピッチアクチュエータ組立体は、ピッチアクチュエータ組立体および複数のプロペラブレード組立体のうちの少なくとも１つの回転を制限するように構成された移動止め部を含む。
【０００５】
別の態様では、一体型ピッチ制御機構（ＰＣＭ）アクチュエータ組立体を使用して可変ピッチファンを選択的に制御するように作動させる方法が提供される。ＰＣＭ組立体は、一体の装置として形成された静止体から回転体への流体移送組立体およびＰＣＭアクチュエータを含む。本方法は、作動流体の複数の流れを、調節された作動流体の源と静止体から回転体への流体移送組立体の静止移送部材との間に運ぶことを含む。本方法はまた、作動流体の複数の流れを、静止移送部材と静止体から回転体への流体移送組立体の回転可能移送部材との間の隙間を横切って導くことを含む。本方法はまた、作動流体の複数の流れを、ＰＣＭアクチュエータの作動空洞に運ぶことを含む。本方法は、作動流体の複数の流れの相対的な圧力に基づいて、ＰＣＭアクチュエータの作動部材を選択的に動かすことも含む。
【０００６】
さらに別の態様では、可変ピッチターボファンガスタービンエンジンが提供される。可変ピッチターボファンガスタービンエンジンは、多段圧縮機を含むコアエンジンと、回転軸を備えコアエンジンによって動力を与えられるファン組立体とを含む。ファン組立体は、回転軸を有するシャフトの周りを回転可能なハブを含む。ファン組立体はまた、ハブの周りを周方向に離間した複数のプロペラブレード組立体を含む。複数のプロペラブレード組立体のそれぞれは、各プロペラブレードを、半径方向に延在するピッチ回転軸の周りを回転させるように構成される。ファン組立体はまた、シャフトと一体で形成され、シャフトとともに回転可能な作動流体ポート組立体を含む。作動流体ポート組立体は、ポート組立体を少なくとも部分的に取り囲む静止作動流体移送スリーブからの作動流体の各流れを受け入れるように構成された少なくとも３つの作動流体ポートを含む。ファン組立体はまた、作動流体ポート組立体からピッチアクチュエータまで軸方向に延在する各作動流体移送チューブを通して、少なくとも３つの作動流体ポートと流れ連通して結合されたピッチアクチュエータ組立体を含む。ピッチアクチュエータは、プロペラブレードのピッチを選択的に制御するように複数のプロペラブレード組立体に結合される。ピッチアクチュエータ組立体は、ピッチアクチュエータ組立体および複数のプロペラブレード組立体のうちの少なくとも１つの回転を制限するように構成された移動止め部を含む。
【０００７】
本開示のこれらのおよび他の特徴、態様、および利点は、図面全体を通して同様な符号が同様な部品を表している添付の図面を参照して以下の詳細な説明を読めば、よりよく理解できるであろう。
【０００８】
図１〜１２は、本明細書で説明する方法および装置の例示的な実施形態を示す。
【図面の簡単な説明】
【０００９】
【図１】例示的なガスタービンエンジンの概略図である。
【図２】ＰＣＭアクチュエータ組立体を含むガスタービンエンジンファンロータ組立体の側面図である。
【図３】一体型ＰＣＭアクチュエータ組立体の分解図である。
【図４ａ】ピッチアクチュエータの斜視図である。
【図４ｂ】ピッチアクチュエータの切断斜視図である。
【図５ａ】アクチュエータ外殻、作動流体移送スリーブ、および端部キャップの斜視図である。
【図５ｂ】アクチュエータ外殻、作動流体移送スリーブ、および端部キャップの切断斜視図である。
【図６ａ】図３、４、５、および７に示す一体型ＰＣＭアクチュエータ組立体の図４、５、および７の線６−６に沿う軸方向図であり、一体型ＰＣＭアクチュエータ組立体の通常作動の実施形態を示す。
【図６ｂ】図３、４、５、および７に示す一体型ＰＣＭアクチュエータ組立体の図４、５、および７の線６−６に沿う軸方向図であり、一体型ＰＣＭアクチュエータ組立体のピッチを減少させた作動の実施形態を示す。
【図７】一体型ＰＣＭアクチュエータ組立体の側面図である。
【図８】ピッチアクチュエータにアクチュエータ外殻の内部流路を加えた図である。
【図９ａ】図３、４、５、および７に示した一体型ＰＣＭアクチュエータ組立体の図４、５、および７の線９−９に沿う軸方向図であり、一体型ＰＣＭアクチュエータの通常作動の実施形態を示す。
【図９ｂ】図３、４、５、および７に示した一体型ＰＣＭアクチュエータ組立体の図４、５、および７の線９−９に沿う軸方向図であり、一体型ＰＣＭアクチュエータ組立体のピッチを減少させた作動の実施形態を示す。
【図１０】半径方向隙間移送の一体型ＰＣＭアクチュエータ組立体内の増大流路、減少流路、およびドレン流路の図である。
【図１１】軸方向隙間移送の一体型ＰＣＭアクチュエータ組立体の側面図である。
【図１２】軸方向隙間移送の一体型ＰＣＭアクチュエータ組立体内の増大流路、減少流路、およびドレン流路の図である。
【発明を実施するための形態】
【００１０】
様々な実施形態の特定の特徴は、いくつかの図面には示され、他の図面には示されないことがあるが、これは単に便宜上のことである。任意の図面の任意の特徴は、任意の他の図面の任意の特徴と組み合せて参照および／または特許請求することができる。
【００１１】
本明細書で提供する図面は、別に指摘しない限り、本開示の実施形態の特徴を示すことを意図している。これらの特徴は、本開示の１つまたは複数の実施形態を備える広範なシステムにおいて適用可能であると考えられる。したがって、図面は、本明細書で開示する実施形態を実践するのに必要な当業者の公知の従来の特徴をすべて含めることを意図していない。
【００１２】
以下の明細書および特許請求の範囲において、いくつかの用語に言及するが、それらの用語は、以下の意味を有すると定義する。
【００１３】
単数形「１つ（ａ）」、「１つ（ａｎ）」、および「その（ｔｈｅ）」は、文脈においてそうではないと明示しない限り、複数を言及することを含む。
【００１４】
「任意選択の（ｏｐｔｉｏｎａｌ）」または「任意選択で（ｏｐｔｉｏｎａｌｌｙ）」という用語は、その用語に続いて記述される事象または状況は起こる場合も起こらない場合もあるが、この記述は、この事象が起こる場合と起こらない場合とを含むことを意味する。
【００１５】
本明細書および特許請求の範囲を通じてここで用いる場合、近似する語句は、関連する基本的機能に変化を生じさせることなく変化することが許容される任意の量的表現を修飾するために適用することができる。したがって、「約（ａｂｏｕｔ）」、「ほぼ（ａｐｐｒｏｘｉｍａｔｅｌｙ）」、および「実質的に（ｓｕｂｓｔａｎｔｉａｌｌｙ）」などの用語で修飾された値は、その特定された正確な値には限定されない。少なくともいくつかの場合には、近似する語句はその値を測定するための機器の精度に対応することがある。ここで、および本明細書および特許請求の範囲を通して、範囲の限定は、組み合せることができ、かつ／または交換することができ、このような範囲は、文脈または語句がそうでないことを示さない限り、そこに含まれるすべての部分範囲として特定され、かつすべての部分範囲を含む。
【００１６】
以下の詳細な説明は、例として本開示の実施形態を示しており、限定するためのものではない。本開示は、一体型ＰＣＭアクチュエータ組立体に作動流体を供給するための方法およびシステムに一般的に適用されることを企図する。
【００１７】
本明細書で説明する一体型ＰＣＭアクチュエータ組立体作動流体供給システムの実施形態は、作動流体をガスタービンエンジンの一体型ＰＣＭアクチュエータ組立体に供給する。一体型ＰＣＭアクチュエータ組立体作動流体供給システムは、複数の作動流体ポートを含む作動流体ポート組立体を囲む静止作動流体移送スリーブを含む。ファンブレードピッチ変更アクチュエータ組立体は、作動流体ポート組立体と流れ連通して結合される。静止作動流体移送スリーブは、作動流体の流れを作動流体ポート組立体に送出するように構成され、それによって、ピッチアクチュエータ組立体が作動され、ガスタービンエンジンのファンブレードのピッチが制御される。
【００１８】
本明細書で説明する一体型ＰＣＭアクチュエータ組立体作動流体供給システムは、作動流体を一体型ＰＣＭアクチュエータ組立体に供給する公知の方法を超える利点を提供する。より詳細には、本明細書で説明する一体型ＰＣＭアクチュエータ組立体は、作動流体を直接アクチュエータに供給する。作動流体を直接一体型ＰＣＭアクチュエータ組立体のアクチュエータに供給することは、付加の機械部品を除去することによってアクチュエータおよびエンジンの重量を低減する。さらに、作動流体供給システムをアクチュエータに組み入れると、アクチュエータの信頼性を改善することができる。
【００１９】
図１は、本開示の例示的な実施形態によるガスタービンエンジンの概略断面図である。この例示的な実施形態では、ガスタービンエンジンは高バイパスターボファンジェットエンジン１０であり、本明細書では、これを「ターボファンエンジン１０」と称する。図１に示すように、ターボファンエンジン１０は、軸方向Ａ（参考のために示した長手方向中心線１２に平行に延在する）および半径方向Ｒを定める。一般に、ターボファンエンジン１０は、ファンセクション１４、およびファンセクション１４の下流に配置されたコアタービンエンジン１６を含む。
【００２０】
図示の例示的なコアタービンエンジン１６は一般に、環状の入口２０を画定する実質的に管状の外側ケーシング１８を含む。外側ケーシング１８内には、直列流れ関係で、ブースタまたは低圧（ＬＰ：ｌｏｗ  ｐｒｅｓｓｕｒｅ）圧縮機２２、および高圧（ＨＰ：ｈｉｇｈ  ｐｒｅｓｓｕｒｅ）圧縮機２４を含む圧縮機セクション、燃焼セクション２６、高圧（ＨＰ）タービン２８および低圧（ＬＰ）タービン３０を含むタービンセクション、ならびにジェット排気ノズルセクション３２が収まっている。高圧（ＨＰ）シャフトまたはスプール３４は、ＨＰタービン２８をＨＰ圧縮機２４に駆動接続する。低圧（ＬＰ）シャフトまたはスプール３６は、ＬＰタービン３０をＬＰ圧縮機２２に駆動接続する。圧縮機セクション、燃焼セクション２６、タービンセクション、およびノズルセクション３２は一緒になってコア空気流路３７を画定する。
【００２１】
図示の実施形態では、ファンセクション１４は可変ピッチファン３８を含み、可変ピッチファン３８は、ディスク４２に、間隔を置くように結合された複数のファンブレード４０を有する。図示のように、ファンブレード４０は、半径方向Ｒに概ね沿ってディスク４２から外向きに延在する。ファンブレード４０が、ファンブレード４０のピッチを同時にまとめて変えるように構成された適切なピッチ変更機構４４に動作可能に結合されることによって、各ファンブレード４０はディスク４２に対してピッチ軸Ｐの周りを回転することができる。ファンブレード４０、ディスク４２、およびピッチ変更機構４４は、動力歯車装置４６の向こう側でＬＰシャフト３６によって、長手方向軸１２の周りを一緒に回転することができる。動力歯車装置４６は、ＬＰシャフト３６に対してファン３８の回転速度をより効率的なファン回転速度に調節するための複数の歯車を含む。
【００２２】
図１の例示的な実施形態をさらに参照すると、ディスク４２は、空気流が複数のファンブレード４０を通りやすくなるような空気力学的な形状にされた回転可能な前面ハブ４８によって覆われる。加えて、例示的なファンセクション１４は、ファン３８および／またはコアタービンエンジン１６の少なくとも一部分を周方向に取り囲む環状のファンケーシングまたは外側ナセル５０を含む。ナセル５０は、周方向に離間した複数の出口案内翼５２によって、コアタービンエンジン１６に対して支持されるように構成することができることを認識すべきである。さらに、ナセル５０の下流セクション５４は、コアタービンエンジン１６の外側部分を覆って延在して、その間にバイパス空気流通路５６を画定することができる。
【００２３】
ターボファンエンジン１０の作動中、ある容積の空気５８が、ナセル５０および／またはファンセクション１４に付随する入口６０を通ってターボファンエンジン１０に入る。その容積の空気５８がファンブレード４０を通りすぎると、矢印６２で示したような空気５８の第１の部分は、バイパス空気流通路５６内に向けられ、または送られ、矢印６４で示したような空気５８の第２の部分は、コア空気流路３７、または、より詳細には、ＬＰ圧縮機２２内に向けられ、または送られる。空気の第１の部分６２と空気の第２の部分６４との比は通常、バイパス比として知られる。次いで、空気の第２の部分６４の圧力は、高圧（ＨＰ）圧縮機２４を通って燃焼セクション２６内に送られると上昇し、そこで燃料と混合されて燃焼して燃焼ガス６６を供給する。
【００２４】
燃焼ガス６６はＨＰタービン２８を通るように送られ、そこで、燃焼ガス６６からの熱エネルギーおよび／または運動エネルギーの一部分が、外側ケーシング１８に結合されたＨＰタービンステータベーン６８と、ＨＰシャフトまたはスプール３４に結合されたＨＰタービンロータブレード７０との連続した段によって取り出され、したがって、ＨＰシャフトまたはスプール３４を回転させ、それによって、ＨＰ圧縮機２４の作動が維持される。次いで、燃焼ガス６６はＬＰタービン３０を通るように送られ、そこで、燃焼ガス６６から、熱エネルギーおよび運動エネルギーの第２の部分が、外側ケーシング１８に結合されたＬＰタービンステータベーン７２と、ＬＰシャフトまたはスプール３６に結合されたＬＰタービンロータブレード７４との連続した段によって取り出され、したがって、ＬＰシャフトまたはスプール３６を回転させ、それによって、ＬＰ圧縮機２２の作動および／またはファン３８の回転が維持される。
【００２５】
続いて、燃焼ガス６６は、コアタービンエンジン１６のジェット排気ノズルセクション３２を通るように送られて推進力を与える。同時に、空気の第１の部分６２がバイパス空気流通路５６を通るように送られると、空気の第１の部分６２の圧力が実質的に上昇し、それから、ターボファンエンジン１０のファンノズル排気セクション７６から排出されてこれもまた推進力を与える。ＨＰタービン２８、ＬＰタービン３０、およびジェット排気ノズルセクション３２は、コアタービンエンジン１６を通るように燃焼ガス６６を送るための高温ガス通路７８を少なくとも部分的に画定する。
【００２６】
しかしながら、図１に示した例示的なターボファンエンジン１０は単なる一例にすぎず、他の例示的な実施形態では、ターボファンエンジン１０は、任意の他の適切な構成を有することができることを認識すべきである。さらなる他の例示的な実施形態では、本開示の態様は、任意の他の適切なガスタービンエンジンに組み込むことができることもまた認識すべきである。例えば、他の例示的な実施形態では、本開示の態様は、例えば、ターボプロップエンジン、アンダクテッドファンエンジンに組み込むことができる。
【００２７】
図２は、本開示の例示的な実施形態による一体型ＰＣＭアクチュエータ組立体２０２を含むファンロータ組立体２００の側面図である。ファンロータ組立体２００は、一体型ＰＣＭアクチュエータ組立体２０２、遊星歯車変速機２０４、パワーエンジンロータ２０６、静止作動流体移送スリーブ２０８、およびハブ組立体２１０を含む。ハブ組立体２１０は、ユニゾンリング２１２、複数のファンブレードトラニオンヨーク２１４、複数のトラニオン組立体２１６、および複数のファンブレード２１８を含む。いくつかの実施形態では、ＬＰシャフト３６（図１に示す）は遊星歯車変速機２０４に固定的に結合され、遊星歯車変速機２０４はパワーエンジンロータ２０６に回転結合される。パワーエンジンロータ２０６は、ハブ組立体２１０および一体型ＰＣＭアクチュエータ組立体２０２に回転結合され、一体型ＰＣＭアクチュエータ組立体２０２を通じてユニゾンリング２１２に回転結合される。ハブ組立体２１０は、ファンブレード２１８に回転結合される。ユニゾンリング２１２はファンブレードトラニオンヨーク２１４に回転結合され、ファンブレードトラニオンヨーク２１４はトラニオン組立体２１６に回転結合される。トラニオン組立体２１６は、ファンブレード２１８に回転結合される。静止作動流体移送スリーブ２０８は、遊星歯車変速機２０４内の支持部（図示せず）に結合され、一体型ＰＣＭアクチュエータ組立体２０２を囲む。静止作動流体移送スリーブ２０８は、一体型ＰＣＭアクチュエータ組立体２０２と流れ連通して結合される。
【００２８】
作動時、ＬＰシャフト３６（図１に示す）は遊星歯車変速機２０４内の複数の歯車（図示せず）を回転するように構成され、遊星歯車変速機２０４はパワーエンジンロータ２０６を回転するように構成される。パワーエンジンロータ２０６は一体型ＰＣＭアクチュエータ組立体２０２を回転するように構成され、一体型ＰＣＭアクチュエータ組立体２０２はユニゾンリング２１２を回転するように構成される。ユニゾンリング２１２はファンブレードトラニオンヨーク２１４を回転するように構成され、ファンブレードトラニオンヨーク２１４はトラニオン組立体２１６を回転するように構成される。トラニオン組立体２１６は、ファンブレード２１８をそれらの各軸の周りに回転するように構成される。静止作動流体移送スリーブ２０８は静止し続けるように構成され、一方、一体型ＰＣＭアクチュエータ組立体２０２はファンモジュールとともに回転するように構成される。
【００２９】
静止作動流体移送スリーブ２０８は、一体型ＰＣＭアクチュエータ組立体２０２と流れ連通して結合される。静止作動流体移送スリーブ２０８からの作動流体圧力は、一体型ＰＣＭアクチュエータ組立体２０２を作動させ、ユニゾンリング２１２を半径方向に延在するピッチ回転軸２２０の周りに回転させる。ユニゾンリング２１２は、ファンブレードトラニオンヨーク２１４を弧状の経路に沿って動かし、各トラニオン組立体２１６を半径方向に延在するピッチ回転軸２２０の周りに回転させる。トラニオン組立体２１６は、ファンブレード２１８を半径方向に延在するピッチ回転軸２２０の周りに回転させるように構成される。
【００３０】
図３は、本開示の例示的な実施形態による一体型ＰＣＭアクチュエータ組立体３００の分解図である。一体型ＰＣＭアクチュエータ組立体３００は、半径方向の隙間での移送によって作動流体を受け入れる。一体型ＰＣＭアクチュエータ組立体３００は、アクチュエータ外殻３０２、作動流体移送スリーブ３０４、ピッチアクチュエータ３０６、および端部キャップ３０８を含む。アクチュエータ外殻３０２は、アクチュエータ外殻３０２から軸方向Ａ後方へ延在する作動流体ポート組立体３１０を含む。作動流体移送スリーブ３０４は、作動流体ポート組立体３１０を囲む。アクチュエータ外殻３０２はピッチアクチュエータ３０６を部分的に囲み、ピッチアクチュエータ３０６は、ピッチアクチュエータ３０６から端部キャップ３０８を通ってユニゾンリング２１２（図２に示す）に軸方向Ａ前方へ延在するピッチアクチュエータシャフト３１２を含む。端部キャップ３０８は、アクチュエータ外殻３０２の軸方向前方端部に結合される。
【００３１】
図４は、ピッチアクチュエータ４００の２つの斜視図である。図４ａはピッチアクチュエータ４００の斜視図である。図４ｂは、ピッチアクチュエータ４００の切断斜視図である。ピッチアクチュエータ４００は、ピッチアクチュエータシャフト４０２から半径方向外向きに延在する複数のピッチアクチュエータベーン４０４、およびピッチアクチュエータ４００から軸方向Ａ後方へ延在する機械式移送レンジリミッタ４０６を含む。ピッチアクチュエータ４００はまた、ピッチアクチュエータシャフト４０２の中を通って延在するピッチアクチュエータ空洞部４０８を含む。
【００３２】
図５は、アクチュエータ外殻５０２、作動流体移送スリーブ５０４、および端部キャップ５０６の２つの斜視図である。図５ａは、アクチュエータ外殻５０２、作動流体移送スリーブ５０４、および端部キャップ５０６の斜視図である。図５ｂは、アクチュエータ外殻５０２、作動流体移送スリーブ５０４、および端部キャップ５０６の切断斜視図である。アクチュエータ外殻５０２は、アクチュエータ外殻５０２の軸方向後方端部に結合されたアクチュエータキャップ５０８を含む。作動流体ポート組立体５１０は、アクチュエータキャップ５０８から軸方向Ａ後方に延在し、作動流体移送スリーブ５０４によって囲まれる。アクチュエータ外殻５０２はまた、アクチュエータ外殻５０２から半径方向内向きに延在する複数のアクチュエータ外殻ベーン５１２を含む。
【００３３】
図６は、図３、４、５、および７に示す一体型ＰＣＭアクチュエータ組立体３００の図４、５、および７の線６−６に沿う軸方向図である。図６ａは、機械的に制限された位置にはない一体型ＰＣＭアクチュエータ組立体３００の軸方向図である。図６ｂは、機械的に制限された位置にある一体型ＰＣＭアクチュエータ組立体３００の軸方向図である。図６は、ピッチアクチュエータ４００をアクチュエータ外殻５０２内に配置した状態の一体型ＰＣＭアクチュエータ組立体３００の構造を示す。図６はまた、一体型ＰＣＭアクチュエータ組立体３００の作動の実施形態とともに論じられる。
【００３４】
ピッチアクチュエータベーン４０４は、ピッチアクチュエータ４００からアクチュエータ外殻５０２の半径方向内側面５１４へ半径方向外向きに延在する。アクチュエータ外殻ベーン５１２は、アクチュエータ外殻５０２からピッチアクチュエータ４００の半径方向外側面４１０へ半径方向内向きに延在する。各アクチュエータ外殻ベーン５１２は、２つのピッチアクチュエータベーン４０４の間を延在して、アクチュエータ外殻ベーン５１２とピッチアクチュエータベーン４０４とが周方向に互い違いになるパターンを形成する。減少空洞６０２および増大空洞６０４は、アクチュエータ外殻ベーン５１２とピッチアクチュエータベーン４０４との間のボリュームから形成される。各アクチュエータ外殻ベーン５１２は、一方の側で減少空洞６０２に隣接し、他方の側で増大空洞６０４に隣接する。
【００３５】
図７は、本開示の例示的な実施形態による一体型ＰＣＭアクチュエータ組立体３００の側面図である。図８は、ピッチアクチュエータ４００にアクチュエータ外殻５０２の内部流路を加えたものである。図９は、図３、４、５、および７に示した一体型ＰＣＭアクチュエータ組立体の図４、５、および７の線９−９に沿う軸方向図である。図９ａは、一体型ＰＣＭアクチュエータ組立体３００の通常作動の実施形態を示す。図９ｂは、一体型ＰＣＭアクチュエータ組立体３００のピッチを減少させた作動の実施形態を示す。図１０は、一体型ＰＣＭアクチュエータ組立体３００内の増大流路６１０、減少流路６３０、およびドレン流路６５０の図である。増大流路６１０、減少流路６３０、およびドレン流路６５０は、図７〜１０を参照して下記で説明される。内部流路は、外側ケーシングを取り除いた状態の図８でより明瞭に示される。内部通路に通じるポートは、すでに論じた図６に最もよく示されている。図９は、供給ラインがフェールセーフとなるように配向されていることを示す。最後に、図１０は、増大流路６１０、減少流路６３０、およびドレン流路６５０のハイレベル概要図を提示する。作動流体供給システム５１６は、作動流体をすべての流路に供給する。
【００３６】
増大流路６１０は、作動流体供給システム５１６および作動流体移送スリーブ５０４と流れ連通して結合された静止増大送出チューブ６１２を含む。回転増大送出流路６１４は、作動流体ポート組立体５１０内に配置されて、静止増大送出チューブ６１２から作動流体を受け入れる。回転増大送出流路６１４は、作動流体を、作動流体ポート組立体５１０およびアクチュエータキャップ５０８内に配置された増大アクチュエータ通路６１６に導く。増大アクチュエータ通路６１６は、増大アクチュエータキャップ送出流路６１８と流れ連通して結合される。増大アクチュエータキャップ送出流路６１８は、作動流体をアクチュエータキャップ５０８の周りの周方向に運び、アクチュエータベーン５１２を通って軸方向Ａ前方に延在する複数の増大アクチュエータベーン通路６２０と流れ連通して結合される。増大アクチュエータベーン通路６２０は、作動流体を複数の増大送出チューブ６２２に運び、増大送出チューブ６２２は作動流体を増大空洞６０４に送出する。増大空洞６０４に送出された作動流体は、増大空洞６０４内の作動流体圧力を上昇させる。増大空洞６０４の作動流体圧力が上昇すると、ピッチアクチュエータベーン４０４の一方の側の作動流体圧力が上昇し、それによって、ピッチアクチュエータ４００が回転し、ユニゾンリング２１２が回転する。
【００３７】
減少流路６３０は、作動流体供給システム５１６および作動流体移送スリーブ５０４と流れ連通して結合された静止減少送出チューブ６３２を含む。回転減少送出流路６３４は、作動流体ポート組立体５１０内に配置されて、静止減少送出チューブ６３２から作動流体を受け入れる。回転減少送出流路６３４は、作動流体を、作動流体ポート組立体５１０およびアクチュエータキャップ５０８内に配置された減少アクチュエータ通路６３６に導く。減少アクチュエータ通路６３６は、機械式移送レンジリミッタ４０６と流れ連通して結合される。機械式移送レンジリミッタ４０６は、作動流体を減少レンジリミッタ流路６３８に運び、減少レンジリミッタ流路６３８は作動流体を減少アクチュエータキャップ送出流路６４０に運ぶ。減少アクチュエータキャップ送出流路６４０は、作動流体をアクチュエータキャップ５０８の周りの周方向に運び、アクチュエータベーン５１２を通って軸方向Ａ前方に延在する複数の減少アクチュエータベーン通路６４２と流れ連通して結合される。減少アクチュエータベーン通路６４２は、作動流体を複数の減少送出チューブ６４４に運び、減少供給チューブ６４４は作動流体を減少空洞６０２に送出する。
【００３８】
ドレン流路６５０内の作動流体の流れは双方向である。ドレン流路６５０は、作動流体を、作動流体供給システム５１６から減少空洞６０２に送出することができる、または、作動流体を、減少空洞６０２から作動流体供給システム５１６に送出することができる。通常作動中、ドレン流路６５０は、作動流体の圧力がかかっていない。ドレン流路６５０は、作動流体供給システム５１６および作動流体移送スリーブ５０４と流れ連通して結合された静止ドレン送出チューブ６５２を含む。回転ドレン送出流路６５４は、作動流体ポート組立体５１０内に配置されて、静止ドレン送出チューブ６５２から作動流体を受け入れる。回転ドレン送出流路６５４は、作動流体を、作動流体ポート組立体５１０およびアクチュエータキャップ５０８内に配置されたドレンアクチュエータ通路６５６に導く。ドレンアクチュエータ通路６５６は、機械式移送レンジリミッタ４０６と流れ連通して結合される。機械式移送レンジリミッタ４０６は、作動流体をドレンレンジリミッタ流路６５８に運び、ドレンレンジリミッタ流路６５８は作動流体をドレンアクチュエータキャップ送出流路６６０に運ぶ。ドレンアクチュエータキャップ送出流路６６０は、作動流体をアクチュエータキャップ５０８の周りの周方向に運び、アクチュエータベーン５１２を通って軸方向Ａ前方に延在する複数のドレンアクチュエータベーン通路６６２と流れ連通して結合される。ドレンアクチュエータベーン通路６６２は、作動流体を複数のドレン送出チューブ６６４に運び、ドレン供給チューブ６６４は作動流体を減少空洞６０２に送出する。
【００３９】
図６ａは、一体型ＰＣＭアクチュエータ組立体３００の通常作動の実施形態を示す。ピッチアクチュエータベーン４０４の両側の作動流体圧力は等しく、増大空洞６０４と減少空洞６０２の容積もまた等しい。ピッチアクチュエータ４００は回転されず、かつユニゾンリング２１２は回転されない。図６ｂは、一体型ＰＣＭアクチュエータ組立体３００のピッチを減少させた作動の実施形態を示す。減少空洞６０２の作動流体圧力は、作動流体を減少流路６３０に導入することによって上昇させられる。減少空洞６０２の作動流体圧力が上昇すると、ピッチアクチュエータベーン４０４の一方の側の作動流体圧力が上昇し、それによって、ピッチアクチュエータ４００が回転し、ユニゾンリング２１２が回転する。
【００４０】
図９ａは、一体型ＰＣＭアクチュエータ組立体３００の通常作動の実施形態を示す。機械式移送レンジリミッタ４０６は、減少アクチュエータ通路６３６および減少レンジリミッタ流路６３８と流体連通している。作動流体は、すでに論じたように、減少流路６３０を通って運ばれる。ピッチアクチュエータ４００が通常の作動位置からさらに回転すると、機械式移送レンジリミッタ４０６は回転して減少アクチュエータ通路６３６とは流れ連通しなくなり、ドレンアクチュエータ通路６５６と流れ連通する。図９ｂは、一体型ＰＣＭアクチュエータ組立体３００のピッチを減少させた作動の実施形態を示す。通常作動中、ドレン流路６５０は圧力がかかっていない。機械式移送レンジリミッタ４０６が回転してドレンアクチュエータ通路６５６およびドレンレンジリミッタ流路６５８と流れ連通すると、すでに論じたように、加圧作動流体は減少空洞６０２からドレン流路６５０内に排出される。作動流体は、減少空洞６０２から作動流体供給システム５１６に排出される。作動流体を減少空洞６０２から排出すると、減少空洞６０２の作動流体圧力が下降し、それによって、ピッチアクチュエータ４００が減少方向に回転するのが止まる。ピッチアクチュエータ４００がさらに反対方向に回転すると、機械式移送レンジリミッタ４０６は回転してドレンアクチュエータ通路６５６とは流れ連通しなくなり、減少アクチュエータ通路６３６と流れ連通し、それによって、もう一度、両方向に回転することができる。
【００４１】
図１１は、本開示の軸方向隙間移送の例示的な実施形態による一体型ＰＣＭアクチュエータ組立体７００の側面図である。一体型ＰＣＭアクチュエータ組立体３００が半径方向隙間移送によって作動流体を受け入れる一方、一体型ＰＣＭアクチュエータ組立体７００が軸方向隙間移送によって作動流体を受け入れることを除いて、一体型ＰＣＭアクチュエータ組立体３００と７００は同じ品である。説明を明瞭にするため、一体型ＰＣＭアクチュエータ組立体７００の構造構成部品には７００番台の連番が付けられ、一方、一体型ＰＣＭアクチュエータ組立体７００内の流路および通路には８００番台、９００番台、および１０００番台の連番が付けられている（図１２により明瞭に示す）。一体型ＰＣＭアクチュエータ組立体７００は、アクチュエータ外殻７０２、作動流体移送組立体７０４、ピッチアクチュエータ７０６、および端部キャップ７０８を含む。作動流体移送組立体７０４は、アクチュエータ外殻７０２から軸方向Ａ後方へ延在する。アクチュエータ外殻７０２は、ピッチアクチュエータ７０６を部分的に囲み、ピッチアクチュエータ７０６は、ピッチアクチュエータ７０６から端部キャップ７０８を通ってユニゾンリング２１２（図２に示す）に軸方向Ａ前方へ延在するピッチアクチュエータシャフト７１２を含む。端部キャップ７０８は、アクチュエータ外殻７０２の軸方向前方端部に結合される。
【００４２】
ピッチアクチュエータ７０６は、ピッチアクチュエータシャフト７１２から半径方向外向きに延在する複数のピッチアクチュエータベーン７１４、およびピッチアクチュエータ７０６から軸方向Ａ後方へ延在する機械式移送レンジリミッタ７１６を含む。アクチュエータ外殻７０２は、アクチュエータ外殻７０２の軸方向後方端部に結合されたアクチュエータキャップ７２０を含む。アクチュエータ外殻はまた、アクチュエータ外殻７０２から半径方向内向きに延在する複数のアクチュエータ外殻ベーン７２２を含む。ピッチアクチュエータベーン７１４は、ピッチアクチュエータ７０６からアクチュエータ外殻７０２の半径方向内側面７２４へ半径方向外向きに延在する。アクチュエータ外殻ベーン７２２は、アクチュエータ外殻７０２からピッチアクチュエータ７０６の半径方向外側面７２６へ半径方向内向きに延在する。各アクチュエータ外殻ベーン７２２は、２つのピッチアクチュエータベーン７１４の間を延在して、アクチュエータ外殻ベーン７２２とピッチアクチュエータベーン７１４とが周方向に互い違いになるパターンを形成する。減少空洞（図示せず）および増大空洞（図示せず）は、アクチュエータ外殻ベーン７２２とピッチアクチュエータベーン７１４との間のボリュームから形成される。各アクチュエータ外殻ベーン７２２は、一方の側で減少空洞に隣接し、他方の側で増大空洞に隣接する。
【００４３】
図１２は、一体型ＰＣＭアクチュエータ組立体７００内の増大流路８００、減少流路９００、およびドレン流路１０００の図である。作動流体供給システム７３２は、作動流体をすべての流路に供給する。増大流路８００は、作動流体供給システム７３２および作動流体移送組立体７０４と流れ連通して結合された静止増大送出チューブ８０２を含む。静止増大送出チューブ８０２は、作動流体を、作動流体移送組立体７０４内に配置された作動流体移送組立体増大通路８０４へ送出する。回転増大送出流路８０６は、アクチュエータキャップ７２０内に配置され、作動流体移送組立体通路８０４から作動流体を受け入れる。回転増大送出流路８０６は、作動流体を増大アクチュエータキャップ送出流路８０８に導く。増大アクチュエータキャップ送出流路８０８は、作動流体をアクチュエータキャップ７２０の周りの周方向に運び、アクチュエータベーン７２２を通って軸方向Ａ前方に延在する複数の増大アクチュエータベーン通路８１０と流れ連通して結合される。増大アクチュエータベーン通路８１０は、作動流体を複数の増大送出チューブ８１２に運び、増大送出チューブ８１２は作動流体を増大空洞に送出する。
【００４４】
増大空洞に送出された作動流体は、増大空洞内の作動流体圧力を上昇させる（一体型ＰＣＭアクチュエータ組立体７００のこの領域は、一体型ＰＣＭアクチュエータ組立体３００と同じなので、図６および９を参照のこと）。増大空洞の増大作動流体圧力が上昇すると、ピッチアクチュエータベーン７１４の一方の側の作動流体圧力が上昇し、それによって、ピッチアクチュエータ７０６が回転し、ユニゾンリング２１２（図２に示す）が回転する。
【００４５】
減少流路９００は、作動流体供給システム７３２および作動流体移送組立体７０４と流れ連通して結合された静止減少送出チューブ９０２を含む。静止減少送出チューブ９０２は、作動流体を、作動流体移送組立体７０４内に配置された作動流体移送組立体減少通路９０４に送出する。回転減少送出流路９０６は、アクチュエータキャップ７２０内に配置され、作動流体移送組立体減少通路９０４から作動流体を受け入れる。回転減少送出流路９０６は、作動流体を機械式移送レンジリミッタ７１６に導き、機械式移送レンジリミッタ７１６は、作動流体を減少レンジリミッタ流路９０８に導く。減少レンジリミッタ流路９０８は、作動流体を減少アクチュエータキャップ送出流路９１０に運び、減少アクチュエータキャップ供給流路９１０は、作動流体をアクチュエータキャップ７２０の周りの周方向に運び、アクチュエータベーン７２２を通って軸方向Ａ前方に延在する複数の減少アクチュエータベーン通路９１２と流れ連通して結合される。減少アクチュエータベーン通路９１２は、作動流体を複数の減少送出チューブ９１４に運び、減少送出チューブ９１４は作動流体を減少空洞に送出する。
【００４６】
ドレン流路１０００内の作動流体の流れは双方向である。ドレン流路１０００は、作動流体を、作動流体供給システム７３２から減少空洞へ送出することができる、または、作動流体を、減少空洞から作動流体供給システム７３２へ送出することができる。通常作動中、ドレン流路１０００は、作動流体の圧力がかかっていない。ドレン流路１０００は、作動流体供給システム７３２および作動流体移送組立体７０４と流れ連通して結合された静止ドレン送出チューブ１００２を含む。静止ドレン送出チューブ１００２は、作動流体を、作動流体移送組立体７０４内に配置された作動流体移送組立体ドレン通路１００４に送出する。回転ドレン送出流路１００６は、アクチュエータキャップ７２０内に配置され、作動流体移送組立体ドレン通路１００４から作動流体を受け入れる。回転ドレン送出流路１００６は、作動流体を機械式移送レンジリミッタ７１６に導き、機械式移送レンジリミッタ７１６は、作動流体をドレンレンジリミッタ流路１００８に導く。ドレンレンジリミッタ流路１００８は、作動流体をドレンアクチュエータキャップ送出流路１０１０へ運び、ドレンアクチュエータキャップ送出流路１０１０は、作動流体をアクチュエータキャップ７２０の周りの周方向に運び、アクチュエータベーン７２２を通って軸方向Ａ前方に延在する複数のドレンアクチュエータベーン通路１０１２と流れ連通して結合される。ドレンアクチュエータベーン通路１０１２は、作動流体を複数のドレン送出チューブ１０１４に運び、ドレン送出チューブ１０１４は作動流体を減少空洞に送出する。
【００４７】
通常作動中、ピッチアクチュエータベーン７１４の両側の作動流体圧力は等しく、増大空洞と減少空洞の容積もまた等しい。ピッチアクチュエータ７０６は回転されず、かつユニゾンリング２１２は回転されない。減少ピッチ作動中、減少空洞の作動流体圧力は、作動流体を減少流路９００に導入することによって上昇させられる。減少空洞の作動流体圧力が上昇すると、ピッチアクチュエータベーン７１４の一方の側の作動流体圧力が上昇し、それによって、ピッチアクチュエータ７０６が回転し、ユニゾンリング２１２が回転する。機械式移送レンジリミッタ７１６は、機械式移送リミッタ３１６と同じように作動し、ピッチアクチュエータ７０６が回転しすぎるのを防ぐ。
【００４８】
上記の作動流体供給システムは、作動流体を一体型ＰＣＭアクチュエータ組立体に供給するための効率的な方法を提供する。詳細には、上記の作動流体供給システムは、作動流体を直接アクチュエータに送出する。作動流体が直接アクチュエータに送出されると、作動流体を送出するために必要な機器が少なくて済む。したがって、作動流体を直接アクチュエータに供給すると、一体型ＰＣＭアクチュエータ組立体の信頼性が改善される。加えて、作動流体供給システムを一体型ＰＣＭアクチュエータ組立体内に組み入れると、エンジン重量が軽減される。
【００４９】
作動流体供給システムの例示的な実施形態が上記で詳細に説明されている。この作動流体供給システム、ならびにこのようなシステムおよび装置を作動させる方法は、本明細書で説明した特定の実施形態に限定されるものではなく、むしろ、本方法のシステムおよび／またはステップの構成部品は、本明細書で説明した他の構成部品および／またはステップとは独立に、かつ別個に利用することができる。例えば、本方法はまた、作動流体を必要とする他のシステムと組み合せて使用することができ、本明細書で説明したようなシステムおよび方法のみで実践することに限定されるものではない。むしろ、例示的な実施形態は、作動流体供給システムを受け入れるように現在構成されている多くの他の機械用途に関連して実装および利用することできる。
【００５０】
作動流体を一体型ＰＣＭアクチュエータ組立体に供給するための例示的な方法および装置を上記で詳細に説明している。図示した装置は、本明細書で説明した特定の実施形態に限定されるものではなく、むしろ、それぞれの構成部品は、本明細書で説明した他の構成部品とは独立に、かつ別個に利用することができる。各システム構成部品はまた、他のシステム構成部品と組み合せて使用することができる。
【００５１】
本明細書では、最良の態様を含む例を用いて本開示を説明し、また、任意の装置またはシステムの作製および使用、ならびに任意の組み入れられた方法の実施を含め、当業者が本開示を実践できるようにしている。本開示の特許性を有する範囲は、特許請求の範囲によって規定され、当業者が想到する他の例を含むことができる。このような他の例は、特許請求の範囲の文言と相違ない構成要素を含む場合、または特許請求の範囲の文言と実質的に相違ない等価の構成要素を含む場合、特許請求の範囲内であることを意図されている。
【００５２】
最後に、代表的な実施態様を以下に示す
［実施態様１］
回転軸（１２）を有するシャフト（３６）の周りを回転可能なハブ（４８）と、
前記ハブ（４８）の周りを周方向に離間した複数のプロペラブレード組立体（４４）であって、前記複数のプロペラブレード組立体（４４）の各プロペラブレード組立体（４４）が、各プロペラブレード（４０）を、半径方向に延在するピッチ回転軸（２２０）の周りを回転させるように構成された、複数のプロペラブレード組立体（４４）と、
前記シャフト（３６）と一体で形成され、前記シャフト（３６）とともに回転可能な作動流体ポート組立体（３１０）であって、前記ポート組立体（３１０）を少なくとも部分的に取り囲む静止作動流体移送スリーブ（３０４）からの作動流体の各流れを受け入れるように構成された少なくとも３つの作動流体ポート（６１２、６３２、６５２）を備える作動流体ポート組立体（３１０）と、
前記作動流体ポート組立体（３１０）から前記ピッチアクチュエータ（３０６）まで軸方向に延在する各作動流体移送チューブ（６１４、６３４、６５４）を通して、前記少なくとも３つの作動流体ポート（６１２、６３２、６５２）と流れ連通して結合されたピッチアクチュエータ組立体（３０６）であって、前記ピッチアクチュエータ（３０６）が、前記プロペラブレード（４０）のピッチを選択的に制御するように前記複数のプロペラブレード組立体（４４）に結合されたピッチアクチュエータ組立体（３０６）において、前記ピッチアクチュエータ組立体（３０６）および前記複数のプロペラブレード組立体（４４）のうちの少なくとも１つの回転を制限するように構成された移動止め部（３１６）を備える、ピッチアクチュエータ組立体（３０６）と
を備える可変ピッチプロペラ組立体（３００）。
［実施態様２］
前記少なくとも３つの作動流体移送チューブ（６１４、６３４、６５４）が、増大移送チューブ（６１４）、減少移送チューブ（６３４）、およびドレン（６５４）を含む、実施態様１に記載の組立体（３００）。
［実施態様３］
前記作動流体移送チューブ（６１４、６３４、６５４）の少なくとも１つによって駆動される軸方向の動きを前記ピッチ回転軸（２２０）の周りの回転に変えるように構成された直線作動部材を、前記ピッチアクチュエータ組立体（３０６）が備える、実施態様１に記載の組立体（３００）。
［実施態様４］
前記作動流体移送チューブ（６１４、６３４、６５４）の少なくとも１つによって駆動される周方向の動きを前記ピッチ回転軸（２２０）の周りの回転に変えるように構成された回転作動部材を、前記ピッチアクチュエータ組立体（３０６）が備える、実施態様１に記載の組立体（３００）。
［実施態様５］
前記作動流体ポート組立体（３１０）が、作動流体の各流れを静止作動流体移送スリーブ（３０４）から半径方向に受け入れるように構成された、実施態様１に記載の組立体（３００）。
［実施態様６］
前記作動流体ポート組立体（３１０）が、作動流体の各流れを静止作動流体移送スリーブ（３０４）から軸方向に受け入れるように構成された、実施態様１に記載の組立体（３００）。
［実施態様７］
前記移動止め部（３１６）が、前記作動流体移送チューブ（６１４、６３４、６５４）を通って前記ピッチアクチュエータ組立体（３０６）へ行く流れを遮断するように構成された機械式作動流体遮断装置（３１６）を含む、実施態様１に記載の組立体（３００）。
［実施態様８］
前記移動止め部（３１６）が、前記ピッチアクチュエータ組立体（３０６）が所定の範囲の外に移動するのを防ぐように構成された機械式移動制限装置（３１６）を含む、実施態様１に記載の組立体（３００）。
［実施態様９］
一体型ピッチ制御機構（ＰＣＭ）アクチュエータ組立体（３００、７００）を使用して可変ピッチファンを選択的に制御するように作動させる方法であって、前記ＰＣＭ組立体（３００、７００）が、一体の装置として形成された静止体から回転体への流体移送組立体およびＰＣＭアクチュエータ（４００、７０６）を含み、
作動流体の複数の流れを、調節された作動流体の源（５１６、７３２）と前記静止体から回転体への流体移送組立体の静止移送部材（３０４、５０４、７０４）との間に運ぶことと、
作動流体の前記複数の流れを、前記静止移送部材（３０４、５０４、７０４）と前記静止体から回転体への流体移送組立体の回転可能移送部材（３１０、５１０、７２０）との間の隙間を横切って導くことと、
作動流体の前記複数の流れを、前記ＰＣＭアクチュエータ（４００、７０６）の作動空洞（６０２、６０４）に運ぶことと、
作動流体の前記複数の流れの相対的な圧力に基づいて、前記ＰＣＭアクチュエータ（４００、７０６）の作動部材を選択的に動かすことと
を含む方法。
［実施態様１０］
作動流体の前記複数の流れを、前記静止移送部材（３０４、５０４、７０４）と前記回転可能移送部材（３１０、５１０、７２０）との間の隙間を横切って導くことが、前記隙間を横切って作動流体の少なくとも３つの流れを導くことを含む、実施態様９に記載の方法であって、前記少なくとも３つの流れが、増大ピッチ流れ、減少ピッチ流れ、およびドレンを含む、方法。
［実施態様１１］
作動流体の前記複数の流れの相対的な圧力に基づいて、前記ＰＣＭアクチュエータ（４００、７０６）の作動部材を選択的に動かすことが、前記作動流体流れの少なくとも１つによって駆動される軸方向の動きをピッチ回転軸（２２０）の周りのファンブレード（４０、２１８）の回転に変えるように構成された直線作動部材を選択的に動かすことを含む、実施態様９に記載の方法。
［実施態様１２］
前記作動流体の複数の流れの相対的な圧力に基づいて、前記ＰＣＭアクチュエータ（４００、７０６）の作動部材を選択的に動かすことが、前記作動流体流れの少なくとも１つによって駆動される周方向の動きをピッチ回転軸（２２０）の周りのファンブレード（４０、２１８）の回転に変えるように構成された回転作動部材を選択的に動かすことを含む、実施態様９に記載の方法。
［実施態様１３］
多段圧縮機（２４）を含むコアエンジン（１６）と、
回転軸（１２）を備え前記コアエンジン（１６）によって動力を与えられるファン組立体（３８）であって、
前記回転軸（１２）を有するシャフト（３６）の周りを回転可能なハブ（４８）と、
前記ハブ（４８）の周りを周方向に離間した複数のプロペラブレード組立体（４４）であって、前記複数のプロペラブレード組立体（４４）の各プロペラブレード組立体（４４）が、各プロペラブレード（４０）を、半径方向に延在するピッチ回転軸（２２０）の周りを回転させるように構成された、複数のプロペラブレード組立体（４４）と、
前記シャフト（３６）と一体で形成され、前記シャフト（３６）とともに回転可能な作動流体ポート組立体（３１０）であって、前記ポート組立体（３１０）を少なくとも部分的に取り囲む静止作動流体移送スリーブ（３０４）からの作動流体の各流れを受け入れるように構成された少なくとも３つの作動流体ポート（６１２、６３２、６５２）を備える作動流体ポート組立体（３１０）と、
前記作動流体ポート組立体（３１０）から前記ピッチアクチュエータ（３０６）まで軸方向に延在する各作動流体移送チューブ（６１４、６３４、６５４）を通して、前記少なくとも３つの作動流体ポート（６１２、６３２、６５２）と流れ連通して結合されたピッチアクチュエータ組立体（３０６）であって、前記ピッチアクチュエータ（３０６）が、前記プロペラブレード（４０）のピッチを選択的に制御するように前記複数のプロペラブレード組立体（４４）に結合されたピッチアクチュエータ組立体（３０６）において、前記ピッチアクチュエータ組立体（３０６）および前記複数のプロペラブレード組立体（４４）のうちの少なくとも１つの回転を制限するように構成された移動止め部（３１６）を備える、ピッチアクチュエータ組立体（３０６）と
を備えるファン組立体（３８）と
を備える可変ピッチターボファンガスタービンエンジン（１０）。
［実施態様１４］
前記少なくとも３つの作動流体移送チューブ（６１４、６３４、６５４）が、増大移送チューブ（６１４）、減少移送チューブ（６３４）、およびドレン（６５４）を含む、実施態様１３に記載の可変ピッチターボファンガスタービンエンジン（１０）。
［実施態様１５］
前記作動流体移送チューブ（６１４、６３４、６５４）の少なくとも１つによって駆動される軸方向の動きを前記ピッチ回転軸（２２０）の周りの回転に変えるように構成された直線作動部材を、前記ピッチアクチュエータ組立体（３０６）が備える、実施態様１３に記載の可変ピッチターボファンガスタービンエンジン（１０）。
［実施態様１６］
前記作動流体移送チューブ（６１４、６３４、６５４）の少なくとも１つによって駆動される周方向の動きを前記ピッチ回転軸（２２０）の周りの回転に変えるように構成された回転作動部材を、前記ピッチアクチュエータ組立体（３０６）が備える、実施態様１３に記載の可変ピッチターボファンガスタービンエンジン（１０）。
［実施態様１７］
前記作動流体ポート組立体（３１０）が、作動流体の各流れを静止作動流体移送スリーブ（３０４）から半径方向に受け入れるように構成された、実施態様１３に記載の可変ピッチターボファンガスタービンエンジン（１０）。
［実施態様１８］
前記作動流体ポート組立体（３１０）が、作動流体の各流れを静止作動流体移送スリーブ（３０４）から軸方向に受け入れるように構成された、実施態様１３に記載の可変ピッチターボファンガスタービンエンジン（１０）。
［実施態様１９］
前記移動止め部（３１６）が、前記作動流体移送チューブ（６１４、６３４、６５４）を通って前記ピッチアクチュエータ組立体（３０６）へ行く流れを遮断するように構成された機械式作動流体遮断装置（３１６）を含む、実施態様１３に記載の可変ピッチターボファンガスタービンエンジン（１０）。
［実施態様２０］
前記移動止め部（３１６）が、前記ピッチアクチュエータ組立体（３０６）が所定の範囲の外に移動するのを防ぐように構成された機械式移動制限装置（３１６）を含む、実施態様１３に記載の可変ピッチターボファンガスタービンエンジン（１０）。
【符号の説明】
【００５３】
１０  ターボファンエンジン
１２  長手方向中心線
１４  ファンセクション
１６  コアタービンエンジン
１８  管状の外側ケーシング
２０  環状の入口
２２  低圧圧縮機
２４  高圧圧縮機
２６  燃焼セクション
２８  高圧タービン
３０  低圧タービン
３２  ノズルセクション
３４  高圧シャフトまたはスプール
３６  低圧シャフトまたはスプール
３７  コア空気流路
３８  ファン
４０  ファンブレード
４２  ディスク
４４  ピッチ変更機構
４６  動力歯車装置
４８  ハブ
５０  ナセル
５２  出口案内翼
５４  下流セクション
５６  バイパス空気流通路
５８  空気の部分
６０  付随する入口
６２  空気の部分
６４  空気の部分
６６  燃焼ガス
６８  高圧タービンステータベーン
７０  高圧タービンロータブレード
７２  低圧タービンステータベーン
７４  低圧タービンロータブレード
７６  排気セクション
７８  高温ガス通路
２００  ファンロータ組立体
２０２  一体型ピッチ制御機構（ＰＣＭ）アクチュエータ組立体
２０４  遊星歯車変速機
２０６  パワーエンジンロータ
２０８  作動流体移送スリーブ
２１０  ハブ組立体
２１２  ユニゾンリング
２１４  ファンブレードトラニオンヨーク
２１６  トラニオン組立体
２１８  ファンブレード
２２０  ピッチ回転軸
３００  一体型ＰＣＭアクチュエータ組立体
３０２  アクチュエータ外殻
３０４  作動流体移送スリーブ
３０６  ピッチアクチュエータ
３０８  端部キャップ
３１０  作動流体ポート組立体
３１２  ピッチアクチュエータシャフト
３１６  機械式移送レンジリミッタ
４００  ピッチアクチュエータ
４０２  ピッチアクチュエータシャフト
４０４  ピッチアクチュエータベーン
４０６  機械式移送レンジリミッタ
４０８  ピッチアクチュエータ空洞
４１０  半径方向外側面
５０２  アクチュエータ外殻
５０４  作動流体移送スリーブ
５０６  端部キャップ
５０８  アクチュエータキャップ
５１０  作動流体ポート組立体
５１２  アクチュエータベーン
５１４  半径方向内側面
５１６  作動流体供給システム
６０２  減少空洞
６０４  増大空洞
６１０  増大流路
６１２  静止増大送出チューブ
６１４  回転増大送出流路
６１６  増大アクチュエータ通路
６１８  アクチュエータキャップ送出流路
６２０  増大アクチュエータベーン通路
６２２  増大送出チューブ
６３０  減少流路
６３２  静止減少送出チューブ
６３４  回転減少送出流路
６３６  減少アクチュエータ通路
６３８  減少レンジリミッタ流路
６４０  アクチュエータキャップ送出流路
６４２  減少アクチュエータベーン通路
６４４  減少送出チューブ
６５０  ドレン流路
６５２  静止ドレン送出チューブ
６５４  回転ドレン送出流路
６５６  ドレンアクチュエータ通路
６５８  ドレンレンジリミッタ流路
６６０  アクチュエータキャップ送出流路
６６２  ドレンアクチュエータベーン通路
６６４  ドレン送出チューブ
７００  一体型ＰＣＭアクチュエータ組立体
７０２  アクチュエータ外殻
７０４  作動流体移送組立体
７０６  ピッチアクチュエータ
７０８  端部キャップ
７１２  ピッチアクチュエータシャフト
７１４  ピッチアクチュエータベーン
７１６  機械式移送レンジリミッタ
７２０  アクチュエータキャップ
７２２  アクチュエータ外殻ベーン
７２４  半径方向内側面
７２６  半径方向外側面
７３２  作動流体供給システム
８００  増大流路
８０２  静止増大送出チューブ
８０４  移送組立体増大通路
８０６  回転増大送出流路
８０８  アクチュエータキャップ送出流路
８１０  増大アクチュエータベーン通路
８１２  増大送出チューブ
９００  減少流路
９０２  静止減少送出チューブ
９０４  移送組立体減少通路
９０６  回転減少送出流路
９０８  減少レンジリミッタ流路
９１０  アクチュエータキャップ送出流路
９１２  減少アクチュエータベーン通路
９１４  減少送出チューブ
１０００  ドレン流路
１００２  静止ドレン送出チューブ
１００４  移送組立体ドレン通路
１００６  回転ドレン送出流路
１００８  ドレンレンジリミッタ流路
１０１０  アクチュエータキャップ送出流路
１０１２  ドレンアクチュエータベーン通路
１０１４  ドレン送出チューブ
【図１】
2017160902.tif 000003
【図２】
2017160902.tif 000004
【図３】
2017160902.tif 000005
【図４ａ】
2017160902.tif 000006
【図４ｂ】
2017160902.tif 000007
【図５ａ】
2017160902.tif 000008
【図５ｂ】
2017160902.tif 000009
【図６ａ】
2017160902.tif 000010
【図６ｂ】
2017160902.tif 000011
【図７】
2017160902.tif 000012
【図８】
2017160902.tif 000013
【図９ａ】
2017160902.tif 000014
【図９ｂ】
2017160902.tif 000015
【図１０】
2017160902.tif 000016
【図１１】
2017160902.tif 000017
【図１２】
2017160902.tif 000018
【外国語明細書】
2017160902000001.pdf